(57)【要約】      （修正有）【課題】交換機のための、特に車両のための車輪のリムを固定するための、付属装置を提供する。【解決手段】付属装置１は、タイヤ交換機上でリムのハブを握持するための握持装置の少なくとも１つの回転部分Ｂに、脱着可能なように関連づけ可能な少なくとも１つの支持構造体２と、支持構造体２と関連し、かつ、最大開き位置（ここで、握持ジョー３が予め設定された最大間隔に配置される）と最小開き位置（ここで、握持ジョー３が予め設定された最小間隔に配置される）との間で、相反する接近および離反方向に沿って動く、車輪ＤのリムＣの少なくとも２つの握持ジョー３と、支持構造体２および握持ジョー３と関連し、握持ジョー３を最大開き位置と最小開き位置との間で動かすのに適している少なくとも１つの作動装置４と、を備える。【選択図】図３
2013119389.tif 000002
【特許請求の範囲】
【請求項１】
タイヤ交換機のための、特に車両のための車輪のリムを固定するための付属装置（１）であって、タイヤ交換機（Ｆ）上でリムのハブを握持するための握持装置の少なくとも１つの回転部分（Ｂ）に、脱着可能なように関連づけ可能な少なくとも１つの支持構造体（２）；前記支持構造体（２）と関連し、かつ、最大開き位置（ここで、前記握持ジョー（３）が予め設定された最大間隔に配置される）および最小開き位置（ここで、前記握持ジョー（３）が予め設定された最小間隔に配置される）の間で、相反する接近および離反方向に沿って動く、車輪（Ｄ）のリム（Ｃ）の少なくとも２つの握持ジョー（３）；および前記支持構造体（２）および前記握持ジョー（３）と関連し、前記握持ジョー（３）を前記最大開き位置と前記最小開き位置との間で動かすのに適している少なくとも１つの作動装置（４）を備える付属装置。
【請求項２】
請求項１に記載の付属装置（１）であって、スピンドル（Ａ）の前記回転部分（Ｂ）が、前記タイヤ交換機（Ｆ）の少なくとも１つのアクチュエータ装置の作用により、作動軸（Ｙ）のまわりを回転する少なくとも１つのプレート（Ｂ）を備える付属装置であって、かつ、前記付属装置（１）が、前記支持構造体（２）を前記プレート（Ｂ）に固定するための少なくとも１つの脱着可能な固定要素（５）を備えるという事実による付属装置。
【請求項３】
請求項２に記載の付属装置（１）であって、前記支持構造体（２）が、前記プレート（Ｂ）に載置して配置され得る少なくとも１つの支持体（２）を備え、かつ、前記脱着可能な固定要素（５）が、前記プレート（Ｂ）上の少なくとも１つの貫通孔（Ｎ）に差し込み可能であり、かつ、前記支持体（２）にネジ止め可能である、少なくとも１つのネジ（５）またはその他同種のものを備える付属装置。
【請求項４】
請求項３に記載の付属装置（１）であって、一旦、前記支持体（２）が前記プレート（Ｂ）と関連すると、前記握持ジョー（３）の間の前記接近および離反方向が前記作動軸（Ｙ）に半径方向となる付属装置。
【請求項５】
請求項４に記載の付属装置（１）であって、前記支持体（２）が、前記プレート（Ｂ）と接触して配置され得る少なくとも１つの載置部分（７）を備える付属装置。
【請求項６】
請求項５に記載の付属装置（１）であって、前記支持体（２）が、前記作動軸（Ｙ）に直交する少なくとも１つのプレート状要素（８）を備える付属装置であって、前記握持ジョー（３）が、前記プレート状要素（８）の実質的に対向する部分に関連する付属装置。
【請求項７】
請求項１に記載の付属装置（１）であって、前記作動装置（４）が、前記支持構造体（２）と関連する少なくとも１つの被固定要素（９）と前記握持ジョー（３）と関連する少なくとも１つの移動要素（１０）とを備える付属装置。
【請求項８】
請求項７に記載の付属装置（１）であって、前記作動装置（４）が、前記被固定要素（９）と、軸方向に摺動して関連し、かつ、前記移動要素（１０）上に得られる少なくとも１つのネジ付き貫通孔の内側で係合される少なくとも１つのネジ付き部分を有する、少なくとも１つのロッド（１６）を備える付属装置。
【請求項９】
請求項８に記載の付属装置（１）であって、前記作動装置（４）が、前記ロッド（１６）と関連し、かつ、少なくとも１つの握持ノブを有する少なくとも１つのクランク（１７）を備える付属装置。
【請求項１０】
請求項９に記載の付属装置（１）であって、前記作動装置（４）が、前記移動要素（１０）の運動を前記握持ジョー（３）に伝えるための、少なくとも１つの駆動装置（１１、１２，１３）を備える付属装置。
【請求項１１】
請求項１０に記載の付属装置（１）であって、前記駆動装置（１１，１２，１３）が、歯車駆動システム（１１，１２，１３，１４）を備える付属装置。
【請求項１２】
請求項１１に記載の付属装置（１）であって、前記歯車駆動システム（１１，１２，１３，１４）が、
−  前記支持構造体（２）と回転して関連し、かつ、前記移動要素（１０）と有効に関連する少なくとも１つの中央クラウン歯車（１１）と、
−  それぞれ、前記握持ジョー（３）の１つを有す第１の端および前記支持構造体（２）と回転して関連する第２の端を有し、かつ、前記クラウン歯車（１１）と係合される少なくとも１つの歯付き部分（１３）を有する少なくとも２つのアーム（１２）と、
を備える付属装置。
【請求項１３】
請求項１２に記載の付属装置（１）であって、前記駆動装置（１１，１２，１３，１４）が、前記作動軸（Ｙ）のまわりを回転して、前記支持体（２）と関連し、かつ、前記クラウン歯車（１１）を有する、前記移動要素（１０）の少なくとも１つの支持要素（１４）を備える付属装置。
【請求項１４】
請求項１３に記載の付属装置（１）であって、前記支持要素（１４）が、前記支持体（２）の中央孔（１５）に測定するために取り付けられ、前記作動軸（Ｙ）のまわりを回転する少なくとも１つの円筒状部分（１４ｂ）を有する付属装置。
【請求項１５】
請求項１に記載の付属装置（１）であって、４つの前記握持ジョー（３）を備え、それぞれの接近および離反方向に沿って動く付属装置。
【発明の詳細な説明】
【技術分野】
【０００１】
本発明は、タイヤ交換機のための、特に車両のための車輪のリムを固定するための付属装置に関する。
【背景技術】
【０００２】
使用目的は、いわゆるタイヤ交換機として知られている。そして、このタイヤ交換機は、たとえば、保守作業を行ったり、リムおよび／またはタイヤそれ自体を入れ換えたりするために、タイヤを車両の車輪が関係するリムに取り付けたり、取り外したりするのを可能にする。
【０００３】
このようなタイヤ交換機は一般に、リムのための固定装置を有する、車輪のリムを回転状態で握持し配置するための基部構造体支持手段と、タイヤをリムから取り除くおよび／またはリムに取り付けるのに適した１つまたは複数の工具を有する少なくとも１つの工具支持アームとが設けてある。
【０００４】
車輪のリムを回転状態で握持し配置するためのさまざまなタイプの手段が存在し、さまざまなタイプのリム固定スピンドルで構成されている。
【０００５】
車輪のリムを回転状態で握持し配置するための第１のタイプの手段は、車輪のリムの端部を握持するための握持装置で構成されている。
【０００６】
リムの端部を握持するためのこの握持装置は、たとえば、いわゆる締付固定付きのスピンドルから成り得る。
【０００７】
特に、締付固定付きのスピンドルには、リムのための締付けプレートが設けてある。締付けプレートは、中央作動軸まわりに回転可能なように、タイヤ交換機の基部構造体に取り付けられており、リムの端部の４つの握持ジョーを有している。
【０００８】
ジョーはプレートの中央から外側に向かっておよびその逆に、閉じる構成（ジョーをプレートの中央に配置することに対応する）と開く構成（ジョーをプレートの周辺に配置することに対応する）との間で動く。
【０００９】
ジョーは、一旦リム上へ固定されると、リムの端部のそれぞれの部分に対応して係合される。
【００１０】
リムを回転状態で握持し配置するための第２のタイプの手段は、車輪のリムのハブを握持するための握持装置で構成されている。
【００１１】
リムのハブを握持するためのこの握持装置は、たとえば、いわゆる円錐体固定付きスピンドルから成り得る。握持装置は、図１の例として示されている。
【００１２】
特に、円錐体固定付きスピンドルＡは、車輪ＤのリムＣのための載置プレートＢを備えている。そして、載置プレートＢは、適当な原動機手段の作用で、作動軸Ｙのまわりに回転可能なように、タイヤ交換機Ｆの基部構造体Ｅに取り付けられている。
【００１３】
載置プレートＢは、ネジ付き中央孔Ｇを有し、その内側に、リムＣを固定するためのピンＨを挿入可能かつネジ止め可能になっている。
【００１４】
固定ピンＨは、その長さの全部または一部に沿って、ネジ山を有し、特に、リムＣの貫通孔、そして、このような端部の反対側の握持ノブＩを通して、載置プレートＢの中央孔Ｇの内側に挿入可能かつネジ止め可能な端部を有している。
【００１５】
固定円錐体Ｌが、ピンＨに軸方向に回転可能に結合されており、この固定円錐体Ｌは、一般に適当なノブＭを備えており、リム自体を載置プレートＢに固定するために貫通孔に対応してリムＣに係合するのに適している。
【００１６】
使用中、リムＣはリムＣの貫通孔がプレート上の中央孔Ｇと位置合わせされた状態で、載置プレートＢ上に位置する。
【００１７】
上記のピンＨの端部は、円錐体ＬがリムＣに接触またはいすれにせよ近接するように配置されるまで、円錐体Ｌの上で、プレートＢの中央孔Ｇの内側にねじ込まれる。
【００１８】
ノブＭを用いて行われるピンＨへの円錐体Ｌのねじ込みによって、貫通孔の内側で、円錐体自体をリムＣに接触するよう位置を定めることが可能になり、それゆえ、リムＣを載置プレートＢに固定することが可能になる。
【００１９】
従来タイプのタイヤ交換機で使用可能なリムのハブの握持装置のさらなる実施例は、適切な原動機の作用によって作動軸まわりに回転可能なスピンドルで構成され、複数の特殊なピンを有している。
【００２０】
特に、このようなピンは、孔の内側に挿入かつ固定され得るが、この孔は、リムを車両の特定なフランジに固定するためのボルトを収容するために通常は使用される。
【発明の概要】
【発明が解決しようとする課題】
【００２１】
知られているタイプのリムのハブの握持装置は、いくつかの欠点を有している可能性がある。
【００２２】
実際、たとえば、固定円錐体を有する従来のピンを用いて、全てのタイプのタイヤに対して、車輪のリムを、ハブに一致して、または、いずれにせよ近接して固定することは可能ではない。
【００２３】
たとえば、自動車の車輪のタイヤの場合、ほとんどの場合、寸法が小さい、または、リムの中央の貫通孔および／または他の固定孔がないために、ハブ握持装置を使用することはできない。
【００２４】
一般に、いずれにせよ、リムのハブの握持装置を用いて固定することが、中央貫通孔または他の貫通孔なしの、および／または、小さなサイズまたは特殊な装置の付いた貫通孔を有する、特殊な寸法または形状を有するそれら全ての車輪に対して実行可能というわけではない。
【課題を解決するための手段】
【００２５】
本発明の主な目的は、タイヤ交換機のための、特に車両のための車輪のリムを固定するための、付属装置を提供することであり、この付属装置は、リムのハブの握持装置を有するタイヤ交換機に取り付け可能であり、そして、中央貫通孔または他の貫通孔なしの、および／または、小さなサイズまたは特殊な装置の付いた貫通孔を有する、特殊な寸法および形状を有するそれら全ての車輪のリムを正確に握持することを可能にする。
【００２６】
本発明の別の目的は、タイヤ交換機のための、特に車両のための車輪のリムを固定するための、付属装置を提供することであり、この付属装置によって、使用するのが簡単、合理的、容易、および効果的な、ならびに、低コストである解決策の範囲で、現状技術の、記載されている欠点を克服することが可能になる。
【００２７】
上記の目的は、タイヤ交換機、特に、車両のための車輪のリムを固定するための、本発明の付属装置で達成される。本発明の付属装置は、タイヤ交換機上でリムのハブの握持装置の少なくとも１つの回転部分に、脱着可能なように関連づけ可能な少なくとも１つの支持構造体と、前記支持構造体と関連し、かつ、最大開き位置（ここで、前記握持ジョーが予め設定された最大間隔に配置される）と最小開き位置（ここで、前記握持ジョーが予め設定された最小間隔に配置される）との間で、相反する接近および離反方向に沿って動く、車輪のリムの少なくとも２つの握持ジョーと、前記支持構造体および前記握持ジョーと関連し、前記握持ジョーを前記最大開き位置と前記最小開き位置との間で動かすのに適している少なくとも１つの作動装置と、を備える。
【図面の簡単な説明】
【００２８】
本発明の他の特徴および利点は、好ましいが唯一ではない、タイヤ交換機のための付属装置、特に車両のための車輪のリムの固定のための実施形態の説明からより明らかになるであろう。実施形態は単に例として示されたものであり、付加された図面に限定されるものではない。これらの図面を以下に示す。
【図１】タイヤ交換機と従来タイプのタイヤ交換機の円錐体固定付きのスピンドルを示す。
【図２】図１の従来タイプのタイヤ交換機の円錐体固定付きのスピンドルへの、本発明の付属装置の設置を示す軸測視図である。
【図３】図１および図２のタイヤ交換機のスピンドルに取り付けられた、本発明の付属装置を示す側面図である。
【図４】本発明の付属装置の平面図である。
【図５】本発明の付属装置を下から見た図である。
【発明を実施するための形態】
【００２９】
上記の図を特に参照すると、タイヤ交換機、特に車両のための車輪のリムの固定のための付属装置は、全般的に１によって示されている。
【００３０】
特に、付属装置１は、リムのハブの握持装置を有するそれら全ての従来タイプのタイヤ交換機に設置可能である。
【００３１】
たとえば、付属装置１は、図１に概略的に示すようなタイヤ交換機Ｆに設置可能である。タイヤ交換機Ｆは、車輪ＤのリムＣを回転状態で握持し配置するための円錐体固定付きのスピンドルＡを有している。
【００３２】
しかしながら、付属装置１を別のさまざまなタイプのリムのハブの握持装置に取り付けることは除外されない。
【００３３】
指摘されることは、「円錐体固定付きスピンドル」という表現は、従来タイプのスピンドルＡを意味しており、この従来タイプのスピンドルＡは、車輪ＤのリムＣを載置するためのプレートＢを備えており、タイヤ交換機Ｆの基部構造体Ｅ上に、適当な原動機によって作動軸Ｙのまわりに回転可能なように取り付けられている。
【００３４】
プレートＢはネジ付き中央孔Ｇを有しており、このネジ付き中央孔Ｇの内側に、リムＣをブロックするための円錐体Ｌ付きの従来のピンＨを取り付けかつネジ止め可能である。
【００３５】
好都合にも、スピンドルＡに付属装置１を直接取り付けると、特殊な寸法や形状を有するそれら全ての車輪のリムを、次のような状態で正確に握持することが可能となる。この状態とは、中央貫通孔なし、または、小さな寸法の貫通孔付き、つまり、固定ピンを取り付けることができないような、または、固定円錐体を用いてリムに必要な圧力をかけることができないような状態のことである。
【００３６】
実際に、円錐体固定付きのスピンドルを有する従来のタイヤ交換機を、付属装置１と共に使用すると、いかなるタイプの車輪にもタイヤを固定したり取り外し／取り付けしたりすることが可能になる。
【００３７】
付属装置１は、スピンドルＡのプレートＢに脱着可能なように関連づけ可能な支持構造体（全体的に参照符号２で示す）を備えている。
【００３８】
付属装置１は、車輪ＤのリムＣの４つの握持ジョー３をさらに備えている。この握持ジョー３は、最大開き位置（ここで、握持ジョー３は予め設定された最大間隔で配置されている）と最小開き位置（ここで、握持ジョー３は予め設定された最小間隔で配置されている）との間で、それぞれの相反する接近および離反方向に沿って可動式になっている。
【００３９】
特に、４つの握持ジョー３は、４つの実質的に対向する位置に対応して配置され、かつ、それぞれの接近および離反方向に沿って可動式となっている。そして、それぞれの方向は、実質的に互いに直交し、かつ、作動軸Ｙに対して実質的に半径方向になっている。
【００４０】
付属装置１は、作動装置（全体的に参照符号４で示す）をさらに備えている。この作動装置は、付属装置１に固定されるべきリムＣの特定な寸法に応じて、最大開き位置と最小開き位置との間で握持ジョー３を動かすのに適している。
【００４１】
有用にも、支持構造体２は、プレートＢに載って配置され得る支持体から構成されており、そして、付属装置１は、支持体２をプレートＢに固定するのに適している少なくとも１つの脱着可能な固定要素５を備えている。
【００４２】
説明図で示す付属装置１の実施形態を特別に参照すると、脱着可能な固定要素５は、プレートＢのそれぞれの貫通孔Ｎ（一対の開溝で構成される）の内側に挿入可能な、一対のネジ５で構成されており、支持体２に固定するために特定なネジ付き孔６にネジ止め可能である。
【００４３】
しかしながら、脱着可能な固定要素５の別のさまざまな実施形態は除外され得ない。
【００４４】
有用にも、支持体２は載置部分７を備えている。この載置部分７は、プレートＢの上面、および、作動軸Ｙに直交し、載置部分７の上方に配置される円形プレート状要素８に接触した状態で配置可能である。
【００４５】
好都合にも、作動装置４はプレート状要素８に固定される被固定要素９および握持ジョー３に連結された移動要素１０を備えている。
【００４６】
作動装置４は、移動要素１０から握持ジョー３まで運動を伝達するための少なくとも１つの駆動装置での運動を有している。
【００４７】
有用にも、説明図に示す付属装置１の特定の実施形態を参照すると、駆動装置は歯車駆動システムから成っている。
【００４８】
特に、歯車駆動システムは、中央クラウン歯車１１を備える。この中央クラウン歯車１１は、プレート状要素８と回転して関連し、移動要素１０と有効に関連している。
【００４９】
歯車駆動システムは、４つの、最適に形づくられた、握持ジョー３を支持するアーム１２をさらに備えている。
【００５０】
特に、各々のアーム１２は、握持ジョー３の１つを有す第１の端およびプレート状要素８と回転して関連している第２の端を有し、クラウン歯車１１と係合される少なくとも１つの歯付き部分１３を有している。
【００５１】
駆動装置は、移動要素１０を支持するのに適している支持要素１４をさらに備えている。この移動要素１０は、プレート状要素８と関連して作動軸Ｙのまわりを回転し、クラウン歯車１１と一体化して関連している。
【００５２】
特に、載置部分７は、実質的に円弧状であり、そして、支持要素１４は、載置部分７によって少なくとも部分的には取り囲まれるディスク状部分１４ａを有し、円筒状部分１４ｂを有している。そして、円筒状部分１４ｂは、プレート状要素８の中央孔１５に測定するために取り付けられ、作動軸Ｙのまわりを回転している。
【００５３】
作動装置４は、ロッド１６をさらに備えている。そして、ロッド１６は、被固定要素と軸方向に回転可能に関連し、移動要素１０の貫通およびネジ付きの孔の内側に係合するネジ付き部分を有している。
【００５４】
有用にも、作動装置４は、ロッド１６に固定されたクランク１７を備え、握持ノブを有している。
【００５５】
使用中、作業者は、クランク１７を用いて、ロッド１６を軸方向に回転させ、それで、移動要素１０を移動させ、握持ジョー３を最大開き位置と最小開き位置との間で動かす。
【００５６】
特に、被固定要素９は第１のブッシュで構成されている。この第１のブッシュは、プレート状要素８から伸びている第１のブラケット１８にヒンジ結合され、ロッド１６の軸線に直交する第１の枢動軸のまわりを枢動する。
【００５７】
第１のブッシュ９の内側に、ロッド１６の第１の部分は、測定をするために収容され、かつ軸方向に回転可能である。
【００５８】
さらに、移動要素１０は第２のブッシュ１０で構成されている。この第２のブッシュは、支持要素１４から伸びている第２のブラケット１９にヒンジ結合され、ロッド１６の軸線に直交する第２の枢動軸のまわりを枢動する。
【００５９】
第２のブッシュ１０はネジ付き孔を有し、内側に、ロッド１６のネジ付き部分が回転可能に係合されている。
【００６０】
実際に、クランク１７を用いてロッド１６を軸回転させると、第２のブッシュ１０が第１のブッシュ９に対して接近および離反して移動し、その結果として、プレート状要素８に対して支持要素１４が回転し、それゆえ、プレート状要素８に対してクラウン歯車１１が回転する。
【００６１】
このように、クラウン歯車１１はアーム１２の歯付き部分１３に働きかけ、そして、最大開き位置と最小開き置との間で握持ジョー３を動かす。
【００６２】
事実上、確認されてきたことは、記載された発明が、提案された目的をどのようにして達成するかである。
【００６３】
特に、強調されるのは、付属装置は従来のタイヤ交換機のリムのハブの握持装置に取り付け可能であり、そして、中央貫通孔または他の貫通孔なしの、および／または、小さなサイズのまたは特殊な装置の付いた貫通孔を有する、特殊な寸法および形状を有するそれら全ての車輪のリムを正確に握持することを可能にする
【図１】
2013119389.tif 000003
【図２】
2013119389.tif 000004
【図３】
2013119389.tif 000005
【図４】
2013119389.tif 000006
【図５】
2013119389.tif 000007